(57)【要約】      （修正有）【課題】より小さなディスク装着力で記録ディスクの装着を実現させる記録ディスク調芯機構を備える記録ディスク載置装置、記録ディスク駆動用モータおよび記録ディスク装置を提供する。【解決手段】ターンテーブル２は、載置部４と保持部５とを備えている。載置部４は、ディスクＤを載置する。保持部５には、載置部４の中央部において設けられた保持本体部８と、保持本体部８の外側側面の周方向複数箇所の上部に、下方に向けて拡径するように弾性変形可能に突出して形成され、少なくとも一部がディスクＤの中心孔に嵌入される、ディスクＤの調芯を行うための調芯爪１０と、から構成される記録ディスク調芯機構が形成される。調芯爪１０は、弾性変形することによりディスクＤの中心孔を径方向外方に押圧して保持する保持力が、ディスクＤを載置する際の載置方向に要するディスク装着力よりも大きくなるように形成されている。【選択図】      図１
2006252623.tif 000002
【特許請求の範囲】
【請求項１】
記録ディスクを載置するための載置部と、
前記載置部の中央部に設けられた略円筒状部と、前記略円筒状部の外側側面の周方向複数箇所の上部に、下方に向けて拡径するように弾性変形可能に突出して形成され、少なくとも一部が前記記録ディスクの中心孔に嵌入される、前記記録ディスクの調芯を行うための複数の調芯爪と、から構成される記録ディスク調芯機構が形成される保持部と、
を備え、
前記記録ディスク調芯機構の調芯爪は、弾性変形することにより前記記録ディスクの前記中心孔を径方向外方に押圧して保持する保持力が、前記記録ディスクを載置する際の載置方向に要するディスク装着力よりも大きくなるように形成されている、ことを特徴とする記録ディスク載置装置。
【請求項２】
前記記録ディスクを載置する際に、前記記録ディスクの前記中心孔の孔縁に当接する前記調芯爪の外側側面の傾斜角θ１は、５５°≦θ１≦８０°を満たす、
請求項１に記載の記録ディスク載置装置。
【請求項３】
前記調芯爪は、前記記録ディスクの中心孔を径方向外方に押圧して保持する先端部と、前記先端部を弾性支持する支持部と、前記記録ディスクを載置する際に前記記録ディスクの中心孔の孔縁が当接するように前記支持部に突出して形成され、前記先端部の外側側面と連続する外側側面を有する突出部と、から構成されており、
前記突出部の頂点は、前記記録ディスクの前記中心孔の孔縁よりも内径側に位置する、
請求項１または２に記載の記録ディスク載置装置。
【請求項４】
前記突出部の前記外側側面は、前記支持部の外側側面よりも大きな傾きを有している、
請求項３に記載の記録ディスク載置装置。
【請求項５】
前記突出部の前記外側側面は、前記先端部に向けて拡径するテーパ形状あるいは曲面形状を有する、
請求項３または４に記載の記録ディスク載置装置。
【請求項６】
前記支持部の外側側面の傾斜角θ２は、２５°≦θ２≦４５°を満たす、
請求項３〜５のいずれかに記載の記録ディスク載置装置。
【請求項７】
前記支持部の内側側面の傾斜角θ３は、４０°≦θ３≦５５°を満たす、
請求項３〜６のいずれかに記載の記録ディスク載置装置。
【請求項８】
前記突出部の前記外側側面の傾斜角θ１は、５５°≦θ１≦８０°を満たす、
請求項３〜７のいずれかに記載の記録ディスク載置装置。
【請求項９】
前記支持部の内側側面の傾斜角θ３と、前記突出面の前記外側側面の傾斜角θ１とは、θ３＜θ１を満たす、
請求項３〜８のいずれかに記載の記録ディスク載置装置。
【請求項１０】
静止部材と
前記静止部材に回転自在に支持され、請求項１〜９のいずれかに記載の記録ディスク載置装置を有する回転部材と、
前記静止部材に固定されたステータと、
前記ステータに対向するように前記回転部材に固定され、前記ステータと協働して回転磁界を発生するためのロータマグネットと、
を備える記録ディスク駆動用モータ。
【請求項１１】
ハウジングと、
前記ハウジング内に配置され、情報を記録できる記録ディスクを回転させる請求項１０に記載の記録ディスク駆動用モータと、
前記記録ディスクの所要の位置に情報を書き込むための、または所要の位置から情報を読み出すための情報アクセス手段と、
を備える記録ディスク装置。
【発明の詳細な説明】
【技術分野】
【０００１】
本発明は、記録ディスク載置装置、特に、記録ディスクの調芯を行う記録ディスク調芯機構を備える記録ディスク載置装置に関する。さらに、本発明は、記録ディスク駆動用モータおよび記録ディスク装置に関する。
【背景技術】
【０００２】
ＣＤ、ＤＶＤなど交換して使用する方式の記録ディスクを回転するためのモータにおいて、ディスク載置用の記録ディスク載置装置が設けられている。
この記録ディスク載置装置は、一般的に、記録ディスクの中心に形成された中心孔の周囲面を支持する載置部と、載置部の中央部に設けられ、記録ディスクの中心孔に嵌入される保持部とから構成される。
また、この記録ディスク載置装置では、載置された記録ディスクを調芯するための記録ディスク調芯機構が設けられている。ＣＤ、ＤＶＤなどの交換式の記録ディスクは、表面の図柄や成形精度などによって固有のアンバランスをもっている。そのため回転時に、そのアンバランス量に応じた遠心力によって記録ディスクが偏芯することがある。また、保持部が嵌入される記録ディスクの中心孔の径寸法は、規格により定められているものの、寸法の公差は比較的大きく決められている。このような記録ディスクの偏芯回転を防ぐために記録ディスク調芯機構が必要とされる。
【０００３】
記録ディスク調芯機構としては、保持部の外周部に設けられた複数の撓み性部材を用いて、記録ディスクの中心孔の複数箇所を径方向外方に支持することにより、自動調芯する機構が知られている（例えば、特許文献１参照。）。
図９を用いて、この記録ディスク調芯機構について説明を加える。図９に示す記録ディスク調芯機構１００は、記録ディスクの中心孔を径方向外方に支持する先端部１０１と、先端部１０１を弾性支持する支持部１０２とを有している。支持部１０２は、記録ディスク載置装置の径方向外方に向けて下傾するように形成されている。先端部１０１は、支持部１０２の径方向外方の端部において、軸方向に向けて形成されている。
また、このような記録ディスク調芯機構１００は、記録ディスク載置装置の保持部において、周方向に複数設けられており、それぞれの記録ディスク調芯機構１００の支持部１０２の径方向外方の端部は、記録ディスク載置装置の軸心を中心とする仮想円上に位置している。この仮想円の半径は、記録ディスクの中心孔の半径よりも大きく、記録ディスクが記録ディスク載置装置に未装着の状態では、支持部１０２の径方向外方の端部および先端部１０１は、記録ディスクの中心孔よりも外径側に位置することとなる。
【０００４】
一方、記録ディスクが装着される場合、まず、記録ディスクの中心孔の孔縁が支持部１０２の傾斜面１０４に当接する。さらに、記録ディスクを装着状態に近づける（記録ディスクを軸方向下側に移動する）と、記録ディスクの中心孔の孔縁は、支持部１０２を軸方向下側に弾性変形させ、先端部１０１を径方向内方に移動させる。ここで、先端部１０１の外側側面１０３が記録ディスクの中心孔よりも径方向内方に位置するまで先端部１０１が径方向内方に移動すると、記録ディスクは装着状態となる。この状態では、周方向に複数配置された先端部１０１の外側側面１０３が記録ディスクの中心孔を径方向外方に支持し、記録ディスクの調芯が行われている。装着状態の記録ディスクは、記録ディスクの上面を押圧する固定手段によって記録ディスク載置装置に固定される。
【特許文献１】特開２０００−１１３５４４号公報（第１１図）
【発明の開示】
【発明が解決しようとする課題】
【０００５】
この記録ディスク調芯機構１００において、十分な精度の調芯を行うためには、記録ディスクの中心孔を径方向外方に支持するラジアル保持力を高める必要がある。ラジアル保持力を高めるためには、支持部１０２を厚肉化することなどにより、記録ディスク調芯機構１００の剛性を高めることが考えられる。
一方、記録ディスク調芯機構１００の剛性を高めることにより、ラジアル保持力を高める場合、記録ディスク装着時に大きなディスク装着力を必要とするという課題が発生する。すなわち、記録ディスク調芯機構１００の剛性を高めると、支持部１０２を弾性変形させて記録ディスクを装着するために、より大きな軸方向の力が必要となる。このように大きなディスク装着力を必要とする構造では、記録ディスクの調芯に必要な径方向の支持力を確保する前に、記録ディスクが入らない状態（クランプエラー）になる可能性もある。
【０００６】
このような問題を解決するためには、より小さなディスク装着力で記録ディスクの装着させるための構造が必要である。
そこで、本発明では、より小さなディスク装着力で記録ディスクの装着を実現させる記録ディスク調芯機構を備える記録ディスク載置装置、記録ディスク駆動用モータおよび記録ディスク装置を提供することを課題とする。
【課題を解決するための手段】
【０００７】
請求項１に記載の記録ディスク載置装置は、載置部と、保持部とを備えている。載置部は、記録ディスクを載置する。保持部は、載置部の中央部に設けられた略円筒状部と、前記略円筒状部の外側側面の周方向複数箇所の上部に、下方に向けて拡径するように弾性変形可能に突出して形成され、少なくとも一部が記録ディスクの中心孔に嵌入される、記録ディスクの調芯を行うための複数の調芯爪と、から構成される記録ディスク調芯機構が形成される保持部と、を備えている。記録ディスク調芯機構の調芯爪は、弾性変形することにより記録ディスクの中心孔を径方向外方に押圧して保持する保持力が、記録ディスクを載置する際の載置方向に要するディスク装着力よりも大きくなるように形成されている、ことを特徴とする。
ここで、記録ディスクとは、例えば、ＣＤ、ＤＶＤ、ＰＤなど必要に応じて交換して使用する方式の記録ディスクを含む（以下、この欄において同じ）。また、ここで、ディスク装着力とは、例えば、ディスクを載置する際にディスクが調芯爪を押圧するのに必要な最大の力である。一般に、ディスクが調芯爪から受ける力は、調芯爪が弾性変形する直前が最大で、その後、変形が進むにつれてその力は小さくなる。
【０００８】
記録ディスク調芯機構の調芯爪は、弾性変形することにより記録ディスクの中心孔を径方向外方に押圧して保持するとともに、その保持力が記録ディスクを載置する際の載置方向に要するディスク装着力よりも大きくなるように形成されている。
本発明の記録ディスク載置装置は、記録ディスクの径方向への保持力を維持しつつ、記録ディスクを載置する際のディスク装着力を軽減することが可能となる。
請求項２に記載の記録ディスク載置装置は、請求項１に記載の記録ディスク載置装置であって、記録ディスクを載置する際に、記録ディスクの中心孔の孔縁に当接する調芯爪の外側側面の傾斜角θ１は、５５°≦θ１≦８０°を満たす。
ここで、傾斜角とは、例えば、記録ディスク載置装置の回転軸に直交する平面と、傾斜の最大勾配方向とがなす角度である（以下、この欄において同じ）。
【０００９】
傾斜角θ１が大きくなると、記録ディスクの中心孔の孔縁位置が記録ディスク調芯機構の傾斜部分に当接しにくくなることから、傾斜角θ１の上限を８０°とするのが好ましく、傾斜角θ１が小さくなると、ディスク装着力が大きくなることから、傾斜角θ１の下限を５５°とするのが好ましい。
請求項３に記載の記録ディスク載置装置は、請求項１または２に記載の記録ディスク載置装置であって、調芯爪は、先端部と、支持部と、突出部とを備えている。先端部は、記録ディスクの中心孔を径方向外方に押圧して保持する。支持部は、先端部を弾性支持する。突出部は、記録ディスクを載置する際に記録ディスクの中心孔が当接するように支持部に突出して形成され、先端部の外側側面と連続する外側側面を有する。また、突出部の頂点は、記録ディスクの中心孔の孔縁よりも内径側に位置する。
【００１０】
ここで、外側とは、記録ディスクの中心孔の径方向外方を意味している。突出部の頂点とは、例えば、突出部において、支持部の外側側面からの距離が最も大きくなる点をいう。
突出部の頂点が記録ディスクの中心孔の孔縁よりも内径側に位置するため、記録ディスクが調芯される際には、記録ディスクの中心孔は突出部の外側側面に当接する。さらに、記録ディスクは、中心孔を突出部の外側側面と摺接させつつ先端部まで移動される。この際、支持部は、弾性変形される。これにより、先端部まで移動した記録ディスクは、先端部から径方向外方に支持される。
突出部は、支持部に突出して形成されている。さらに、突出部は、先端部の外側側面と連続する外側側面を有する。このため、突出部の外側側面は、より先端部の外側側面に近い傾きを有することが可能となる。
【００１１】
本発明の記録ディスク載置装置は、記録ディスクを先端部に案内するための傾斜面の角度を大きくすることが可能となり、より小さなディスク装着力で記録ディスクを装着することが可能となる。より詳しくは、本発明の記録ディスク載置装置は、記録ディスクの調芯の際に、より先端部の外側側面に近い傾きを有する突出部の外側側面を案内面として記録ディスクを先端部まで導くため、より小さなディスク装着力で記録ディスクを装着することが可能となる。
請求項４に記載の記録ディスク載置装置は、請求項３に記載の記録ディスク載置装置であって、突出部の外側側面は、支持部の外側側面よりも大きな傾きを有している。
ここで、突出部の外側側面は、支持部の外側側面よりも大きな傾きを有しており、さらに、突出部の外側側面は、先端部の外側側面と連続する。
【００１２】
本発明の記録ディスク載置装置では、突出部の外側側面は、支持部の外側側面よりも大きな傾きを有しており、より小さなディスク装着力で記録ディスクを装着することが可能となる。
請求項５に記載の記録ディスク載置装置は、請求項３または４に記載の記録ディスク載置装置であって、突出部の外側側面は、先端部に向けて拡径するテーパ形状あるいは曲面形状を有する。
突出部の外側側面は、先端部に向けて拡径するテーパ形状あるいは曲面形状であるため、記録ディスクを装着する際に、徐々に支持部を弾性変形させる。
本発明の記録ディスク載置装置では、より小さなディスク装着力で無理なく記録ディスクを装着することが可能となる。このため、例えば、十分な径方向の支持力を得つつ、クランプエラーの発生などを防止することが可能となる。
【００１３】
請求項６に記載の記録ディスク載置装置は、請求項３〜５のいずれかに記載の記録ディスク載置装置であって、支持部の外側側面の傾斜角θ２は、２５°≦θ２≦４５°を満たす。
ここで、傾斜角θ２は、所定のラジアル保持力とディスク装着力を確保するために上記の範囲であるのが望ましい。
請求項７に記載の記録ディスク載置装置は、請求項３〜６のいずれかに記載の記録ディスク載置装置であって、支持部の内側側面の傾斜角θ３は、４０°≦θ３≦５５°を満たす。
ここで、傾斜角θ３は、所定のラジアル保持力とディスク装着力を確保するために上記の範囲であるのが望ましい。
【００１４】
請求項８に記載の記録ディスク載置装置は、請求項３〜７のいずれかに記載の記録ディスク載置装置であって、突出部の外側側面の傾斜角θ１は、５５°≦θ１≦８０°を満たす。
ここで、傾斜角θ１が大きくなると、突出部の頂点が記録ディスクの中心孔の孔縁に接近し、中心孔の孔縁が突出部の外側側面の径方向中間部に当接しにくくなることから、傾斜角θ１の上限を８０°とするのが好ましく、傾斜角θ１が小さくなると、ディスク装着力が大きくなることから、傾斜角θ１の下限を５５°とするのが好ましい。
請求項９に記載の記録ディスク載置装置は、請求項３〜８のいずれかに記載の記録ディスク載置装置であって、支持部の内側側面の傾斜角θ３と、突出面の外側側面の傾斜角θ１とは、θ３＜θ１を満たす。
【００１５】
請求項１０に記載の記録ディスク駆動用モータは、静止部材と、静止部材に回転自在に支持され、請求項１〜９のいずれかに記載の記録ディスク載置装置を有する回転部材と、静止部材に固定されたステータと、ステータに対向するように回転部材に固定され、ステータと協働して回転磁界を発生するためのロータマグネットと、を備えている。
本発明の記録ディスク駆動用モータでは、請求項１〜９のいずれかに記載の記録ディスク載置装置と同様の効果を得ることが可能となる。
請求項１１に記載の記録ディスク装置は、ハウジングと、ハウジング内に配置され、情報を記録できる記録ディスクを回転させる請求項１０に記載の記録ディスク駆動用モータと、記録ディスクの所要の位置に情報を書き込むための、または所要の位置から情報を読み出すための情報アクセス手段と、を備えている。
【００１６】
本発明の記録ディスク装置では、請求項１０に記載の記録ディスク装置と同様の効果を得ることが可能となる。
【発明を実施するための最良の形態】
【００１７】
〈構成〉
図１〜図３を用いて、本発明の記録ディスク調芯機構、記録ディスク載置装置（ターンテーブル）、記録ディスク駆動装置（モータ）の構造について説明する。
図１は、ターンテーブル２の断面図およびターンテーブル２を備えるモータ２１の一部断面図である。図２は、ターンテーブル２の平面図である。図３は、ターンテーブル２に備えられる調芯爪１０（記録ディスク調芯機構）の断面図である。
調芯爪１０は、シャフト１と一体的に回転するターンテーブル２に載置されるディスクＤを調芯するものであり、その構造において特徴を有している。詳しい構成については、後述する。
なお、ディスクＤは、ＣＤやＤＶＤなどの交換して使用する方式の情報記録媒体である。また、調芯とは、ディスクＤの中心をシャフト１の軸心Ｌに略一致（ないし一致）させ、ディスクＤをターンテーブル２上に保持することをいう。また、本実施形態の説明では、便宜上、図１の上下方向を「軸方向の上下方向」とするが、このことは、実際の取付状態における方向を限定するものではない。さらに、軸心Ｌの放射方向を「径方向」と呼ぶ。
【００１８】
〈モータ２１〉
図１を用いて、ターンテーブル２を備えるモータ２１について説明を行う。モータ２１は、ディスクＤを回転駆動させるための装置であり、ディスクＤにアクセスして情報の読み出し・書き込みを行うリムーバブルディスク記録装置などに搭載される。
モータ２１は、静止部材２２と、静止部材２２に回転自在に支持され、ターンテーブル２を有する回転部材２３と、静止部材２２に固定されたステータ２４と、ステータ２４に対向するように回転部材２３に固定され、ステータ２４と協働して回転磁界を発生するためのロータマグネット２５とを備えている。
静止部材２２は、ベース部材２６に固定されたスリーブ２７から主に構成され、スリーブ２７の外周部には、ステータ２４が固定されている。
【００１９】
回転部材２３は、スリーブ２７の内周面と微少間隙を介して対向する外周面を有する円柱状のシャフト１と、シャフト１に中心が固定されるカップ状のロータハブ２８と、シャフト１の上端に中心が固定されるターンテーブル２とから主に構成され、ロータハブ２８の筒状の内周面には、ステータ２４と径方向に対向するようにロータマグネット２５が固定されている。
このような構造のモータ２１において、ステータ２４に通電されると、ステータ２４とロータマグネット２５との電磁相互作用が発生する。これにより、回転部材２３が静止部材２２に対して回転駆動される。
モータ２１が取り付けられる記録装置の本体フレーム（図示せず）には、クランプ体３２がターンテーブル２に対して着脱可能に配置されている。また、ディスクＤを載置するターンテーブル２には、クランプマグネット３３が配置されている。クランプ体３２がこのクランプマグネット３３に吸着し、ディスクＤをターンテーブル２上に押圧することにより、ターンテーブル２に保持されたディスクＤは、クランプ体３２及び回転部材２３と一体的に回転駆動される。
【００２０】
なお、本発明は、ターンテーブル２の構造について特徴を有している。このため、ターンテーブル２が用いられるモータは、モータ２１示す構造のものに限定される訳ではない。例えば、ロータハブ２８の水平部分にターンテーブルを構成してもよい。
〈ターンテーブル２〉
図２を用いて、ターンテーブル２について説明を行う。
ターンテーブル２は、ディスクＤが載置される載置部４と、載置部４の中央部において突出して形成され、少なくとも一部がディスクＤの中心孔に嵌入される保持部５とを備えている。ターンテーブル２は、樹脂成型品として金型等によって一体的に成型されている。より詳しくは、ターンテーブル２は、例えば、ポリカーボネート（ＰＣ）、ポリフェニレンスルフィド（ＰＰＳ）、ポリアセタール（ＰＯＭ）、あるいはそれらの複合材料などで形成される。
【００２１】
載置部４は、シャフト１に外嵌状に固着される筒部４ａと、筒部４ａの下端に外鍔状に形成される環状のフランジ部４ｂとから構成される。さらに、フランジ部４ｂの上面外周縁には、環状の滑り止め部材６が固着されており、ディスクＤが載置される際には、ディスクＤの下面は、この滑り止め部材６上に載置される。滑り止め部材６は、例えば、ゴムなどで形成されている。なお、シャフト１は、その上端の軸方向位置を筒部４ａの上端の軸方向位置とほぼ一致させて固着されている。
載置部４の径寸法は、例えば、ディスクＤを中心孔の周囲面において安定的に支持するのに充分な寸法として決定されている。
保持部５は、筒部４ａの外周部から所定の間隔を設けて形成された、平面視ほぼ環状の突出部である。なお、筒部４ａの外周部との間に設けられた環状の溝部４ｃには、クランプマグネット３３が嵌着される（図１参照）。
【００２２】
保持部５は、下部外周面８ａが円筒上に形成された略円錐台状の保持本体部８と、保持本体部８およびフランジ部４ｂの周方向複数箇所（図２では、６箇所）に設けられた切り欠き部８ｂにおいて保持本体部８の上端部と一体的に形成された調芯爪１０と、から構成されている。この保持本体部８と調芯爪１０とは、記録ディスクの調芯を行う記録ディスク調芯機構を構成する。
保持本体部８は、載置部４の中央部において、軸方向上側に突出する環状の部分であり、その外周面は、円筒状の下部外周面８ａと、軸心Ｌを中心とした円錐台の外周面として形成される上部傾斜面８ｃと、上部傾斜面８ｃの下部外周縁と下部外周面８ａの上部外周縁とを連続させる下部傾斜面８ｄとにより構成されている。下部傾斜面８ｄは、上部傾斜面８ｃよりも大きな傾斜角を有しており、保持本体部８の外周面は、径方向外方に向けて下傾するように形成されている。なお、傾斜角とは、軸心Ｌを含む平面とそれぞれの傾斜面との交線と、軸線Ｌを含む平面における軸心Ｌと直交する仮想線と、がなす角度である。
【００２３】
下部外周面８ａの径寸法は、ディスクＤの中心孔の公差範囲内最小寸法よりも僅かに小さくなるよう設計されている。これにより、ディスクＤの中心孔が規格により定められた公差範囲内の大きさであれば、保持本体部８は、ディスクＤの中心孔に嵌入されることとなる。また、下部外周面８ａは、載置状態のディスクＤの中心孔と径方向に対向するような軸方向高さに設計されている。
保持本体部８には、切り欠き部８ｂが設けられている。より具体的には、切り欠き部８ｂは、保持本体部８の上端部からフランジ部４ｂの径方向中間部まで径方向に形成されている。切り欠き部８ｂは、周方向に６箇所形成されており、中心角略３０°離間して配置された２つの切り欠き部８ｂの組が、周方向等間隔（図２では、略１２０°）に３組配設されている。
【００２４】
調芯爪１０は、それぞれの切り欠き部８ｂにおいて、保持本体部８の上端部から径方向外方に下傾して形成されている。すなわち、図２では、調芯爪１０は周方向６箇所に形成されている。
〈調芯爪１０〉
図３を用いて、調芯爪１０について説明を行う。
調芯爪１０は、ディスクＤの中心孔を径方向外方に支持する先端部１１と、先端部１１を軸心Ｌを含む平面内で弾性支持する支持部１２と、支持部１２の径方向外方の端部に設けられた突出部１３とから主に構成されており、その周方向幅は、ほぼ一様に形成されている。
支持部１２は、切り欠き部８ｂにおいて保持本体部８の上端部から径方向に向けて下傾するように形成されている。支持部１２の径方向外側の傾斜面１４ａは、保持本体部８の上部傾斜面８ｃよりも大きな傾斜角θ２を有している。より具体的には、傾斜角θ２は４０°以上、５５°以下の範囲が好ましく、例えば、４５°に形成されている。また、支持部１２の径方向内側の傾斜面１４ｂは、径方向外側の傾斜面１４ａよりも小さな傾斜角θ３を有している。より具体的には、傾斜角θ３は、２５°以上、４５°以下の範囲が好ましく、例えば、傾斜角３０°に形成されている。また、傾斜角θ２は傾斜角θ３より大きい。これにより、支持部１２では、径方向内方の厚みは、径方向外方の厚みよりも大きく形成されている。
【００２５】
先端部１１は、支持部１２の径方向外側の端部において、略軸方向に向けて延設されている。このため、支持部１２が軸心Ｌを含む平面内で弾性変形すると、先端部１１の外側側面１５の径方向位置が変化する（矢印ｙ参照）。
周方向６箇所に形成された先端部１１の外側側面１５は、軸心Ｌを中心とする仮想円上に位置している。この仮想円の直径は、ディスクＤの中心孔の直径よりも大きく、ディスクＤが載置されていない状態では、先端部１１の外側側面１５は、ディスクＤの中心孔よりも外径側に位置している。より具体的には、この仮想円の径寸法が、ディスクＤの中心孔の公差範囲内最大寸法（例えば、１５ｍｍ＋０．１５ｍｍ）よりも大きくなるように設計されている。また、先端部１１は、載置状態のディスクＤの中心孔と径方向に対向するような軸方向高さに設計されている。なお、ＣＤ、ＤＶＤなどのディスクは、所定の仕様書にて直径１２ｃｍ、厚さ１．２ｍｍと規格化されている。
【００２６】
突出部１３は、支持部１２の径方向外側の傾斜面１４ａ上に突出して形成されており、支持部１２の径方向外側の傾斜面１４ａに連続する上端面１６ａと、上端面１６ａと先端部１１の外側側面１５とを連続させる下部傾斜面１６ｂとを有している。
上端面１６ａは、ほぼ径方向に延びる平坦面である。下部傾斜面１６ｂは、上端面１６ａから径方向に滑らかに連続して略軸方向に下傾する傾斜面である。この上端面１６ａと下部傾斜面１６ｂとが連続する部分において、突出部１３の頂点１３ａが形成されている。下部傾斜面１６ｂは、支持部１２の径方向外側の傾斜面１４ａよりも大きな傾斜角θ１を有している。より具体的には、傾斜角θ１は５５°以上、８０°以下の範囲が好ましく、例えば、傾斜角６５°に形成されている。
突出部１３の頂点１３ａは、ディスクＤの中心孔の孔縁よりも内径に位置するように形成されている。すなわち、調芯爪１０が弾性変形されていない自由状態でディスクＤを載置すると、ディスクＤの中心孔の孔縁は、下部傾斜面１６ｂの径方向中間部と当接する。下部傾斜面１６ｂの傾きが大きくなると、下部傾斜面１６ｂの頂点１３ａがディスクＤの中心孔の孔縁に接近し、この中心孔の孔縁が下部傾斜面１６ｂの径方向中間部に当接しにくくなることから、傾斜角θ１の上限を８０°とするのが好ましく、下部傾斜面１６ｂの傾きが小さくなると、ディスク装着力が大きくなることから、傾斜角θ１の下限を５５°とするのが好ましい。傾斜面１４ａ、１４ｂは、ターンテーブル２およびディスクＤの寸法を考慮して所定のラジアル保持力とディスク装着力を確保するために、傾斜角θ２、θ３を上記範囲に設定するのが好ましい。これにより、傾斜角θ３と傾斜角θ１とは、θ３＜θ１を満たす。
【００２７】
〈作用〉
次に、上述のように構成されたターンテーブル２にディスクＤを嵌め込む方法を説明する。すなわち、ディスクＤの中心を軸心Ｌに略一致させて、ディスクＤを（上方から）ターンテーブル２に近づけていくと、ディスクＤの中心孔の孔縁が、保持本体部８の上部傾斜面８ｃと下部傾斜面８ｄに当接してガイドされ、突出部１３の下部傾斜面１６ｂに当接する。これは、突出部１３の頂点１３ａが、ディスクＤの中心孔よりも内径側に位置するように形成されており、先端部１１の外側側面１５が、ディスクＤの中心孔よりも外径側に位置しているためである。この下部傾斜面１６ｂは、下方側が拡径するように傾斜状に形成されているため、ディスクＤをさらに下方へ押し込むと、ディスクＤの中心孔の孔縁は、下部傾斜面１６ｂに摺接しながら、支持部１２を軸方向下方に弾性変形させる。これにより、先端部１１の外側側面１５は、径方向内方へと縮径される。先端部１１の外側側面１５がディスクＤの中心孔よりも内径側になるまで縮径されると、ディスクＤは、先端部１１の外側側面１５に中心孔を摺接させながら下方へ押し込まれる。ディスクＤの下面が滑止め部材６に当接するまで押し込まれると、ディスクＤの載置が完了する。なお、ディスクＤの装着位置によっては、ディスクＤが上部傾斜面８ｃ又は下部傾斜部８ｄに当接せずに装着されることもある。
【００２８】
ディスクＤが載置された状態では、ディスクＤの中心孔は、縮径された調芯爪１０により、より具体的には、先端部１１の外側側面１５により、径方向外方へ弾性的に支持されている。すなわち、各調芯爪１０は、ディスクＤの中心孔の孔縁との距離に応じた反発力が作用して（その距離が大きいと反発力は弱く、その距離が小さいと反発力は強い。）、ディスクＤの調芯が行われている。さらに、調芯爪１０は、ディスクＤの中心孔を弾発付勢しているため、ディスクＤは、確実に装着保持される。その後、クランプ体３２が降下してディスクＤを押圧しディスクＤの固定が完了する。
以上により、ディスクＤの中心孔の内径寸法に若干のバラツキがあっても、そのバラツキは調芯爪１０が揺動することで吸収され、ディスクＤが調芯されるとともに、確実にターンテーブル２に装着される。
【００２９】
〈効果〉
本発明の調芯爪１０は、突出部１３を備えている。突出部１３の下部傾斜面１６ｂの傾斜角θ１は、支持部１２の径方向外側の傾斜面１４ａの傾斜角θ２よりも大きい。このため、支持部１２を厚肉化し、調芯爪１０の剛性を高めても、ディスクＤを装着するために必要な軸方向の力は大きくならない。すなわち、ラジアル保持力を高めつつ、ディスク装着力を低減することが可能となる。
図４を用いて、この効果についてより具体的に説明する。図４（ａ）は、図９に示した記録ディスク調芯機構１００におけるディスク装着力の大きさについて説明する説明図である。図４（ｂ）は、図３に示した調芯爪１０におけるディスク装着力の大きさについて説明する説明図である。記録ディスク調芯機構１００では、傾斜面１０４の傾きが小さいため、支持部１０２を弾性変形させるためには、軸方向に大きな力を必要とする（図４（ａ）矢印ａ参照）。一方、調芯爪１０では、ディスクＤの装着時にディスクＤの中心孔と当接する下部傾斜面１６ｂの傾きが大きいため、支持部１０２と支持部１２とが同じ剛性である場合には、支持部１２を弾性変形させるために必要な軸方向の力は小さい（図４（ｂ）矢印ｂ参照）。具体的には、調芯爪１０では、弾性変形することによりディスクＤの中心孔を径方向外方に押圧して保持する保持力が、ディスクＤを載置する際の載置方向に要するディスク装着力よりも大きくなる。このため、調芯爪１０では、支持部１２を厚肉化して剛性を高くしても、記録ディスク調芯機構１００に必要なディスク装着力を下回るディスク装着力でディスクＤを装着することが可能となる。
【００３０】
また、付随的な効果として、より小さなディスク装着力でディスクＤを装着することが可能となるため、調芯爪１０の剛性を高めても、クランプエラーの発生を防止することが可能となる。
また、このような調芯爪１０を備えるターンテーブル２およびモータ２１においても、上記と同様の効果を得ることが可能となる。
なお、ディスクＤには、記録方式や記録容量などの違いによって複数の基板が張り合わされたディスクＤ’がある。このディスクＤ’には、それら基板がずれた状態で貼り合わされた規格外の粗悪品がある。記録ディスク載置装置の使い勝手を考慮すると、このような粗悪なディスクＤ’であってもできる限り装着できることが望まれるが、従来の調芯機構では、その張り合わされた基板のずれを原因として、正確に調芯できなかったり、クランプエラーが発生することがある。例えば、２層の基板からなるディスクＤ’を載置する際に、下層の基板と上層の基板とにずれがあると、下層の基板の中心孔に対して調芯を行っても、上層の基板の中心孔の孔縁が調芯機構に接触し、正確な調芯を妨げることがある。一方、本発明の調芯爪１０では、このようなディスクＤ’が装着される場合には、調芯爪１０とディスクＤ’とは、図５に示すような位置関係となり、上層の基板の調芯爪１０への接触は、突出部１３の傾きにより回避されている。すなわち、突出部１３の頂点１３ａは、ディスクＤ’の両層の中心孔の孔縁よりも内径に位置するように形成されており、下層の基板の中心孔に対して調芯を行っても、上層の基板の中心孔の孔縁は、調芯爪１０に接触しないため、正確な調芯を行うことが可能となる。
【００３１】
〈変形例〉
本発明はかかる実施形態に限定されるものではなく、本発明の範囲を逸脱することなく種々の変形あるいは修正が可能である。
例えば、ターンテーブル２の各部の形状は、他の形状であってもよい。より具体的には、調芯爪１０は、さらに多く備えられていてもよいし、さらに少なく備えられていてもよい。
また、調芯爪１０の各部の形状は、他の形状であってもよい。例えば、傾斜する平面として図示した部分は、曲面により構成されていてもよい。さらに、図６に示すように、突出部１３の周方向幅は、支持部１２や先端部１１の周方向幅よりも狭くてもよい。すなわち、突出部１３は、支持部１２や先端部１１において、周方向の一部分が突出したものであってもよい。また、調芯爪１０は保持部５と別部材に構成してもよく、例えば、複数の調芯爪が環状部を介してつながった形状を樹脂または金属によって構成し、これを保持部に嵌め込むような構成を挙げることができる。
【００３２】
また、ディスクＤを押圧する押圧手段は、クランプ体３２のようにディスクＤを軸方向に押圧する構成以外に、ディスクＤの中心孔の孔縁を径方向に押圧する構成のものであってもよい。
また、モータ２１の構造は、他の構造であってもよい。
さらに、上記実施形態では、調芯爪１０は、突出部１３を備えていると説明したが、このような構造のものに限定されない。調芯爪１０は、弾性変形することによりディスクＤの中心孔を径方向外方に支持するとともに、ディスクＤを載置する際の載置方向に要するディスク装着力を軽減するように形成されていればよい。
例えば、図７（ａ）に示すように、変形例としての調芯爪１０’には、傾斜面１４ａ’と、傾斜面１４ａ’に連続し、より大きい傾斜角を有する下側傾斜面１６ｂ’とが形成されている。なお、図７（ａ）では、調芯爪１０の構造を点線で示している。下側傾斜面１６ｂ’は、調芯爪１０’が弾性変形されていない自由状態でディスクＤを載置する場合に、ディスクＤの中心孔の孔縁と当接するような半径位置に形成されており、その傾斜角θ１’は、５５°以上、８０°以下の範囲が好ましく、例えば、傾斜角６５°に形成されている。
【００３３】
このような調芯爪１０’では、突出部を備えてはいないが、ディスクＤを載置する際の載置方向に要するディスク装着力を軽減する。
また、例えば、図７（ｂ）に示すように、変形例としての調芯爪１０”には、傾斜面１４ａ”と、傾斜面１４ａ”に連続し、同じ傾斜角を有する下側傾斜面１６ｂ”とが形成されている。なお、図７（ｂ）では、調芯爪１０の構造を点線で示している。下側傾斜面１６ｂ”は、調芯爪１０”が弾性変形されていない自由状態でディスクＤを載置する場合に、ディスクＤの中心孔の孔縁と当接するような半径位置に形成されており、その傾斜角θ１”は、５５°以上、８０°以下の範囲が好ましく、例えば、傾斜角６５°に形成されている。
このような調芯爪１０”では、突出部を備えてはいないが、ディスクＤを載置する際の載置方向に要するディスク装着力を軽減する。
【００３４】
〈リムーバブルディスク記録装置〉
図８を用いて、上記したモータ２１を備えるリムーバブルディスク記録装置（以下、ディスク記録装置）５０の概略図を示す。なお、図８は、ディスク記録装置５０の構造について模式的に表す図であり、上記実施形態で既に説明した部材と同じ部材には、同じ符号を付し、その説明を省略する。
ディスク記録装置５０は、本体フレーム５１と、本体フレーム５１内に配置され、着脱自在なディスクＤを所定方向に回転駆動させるモータ２１と、ディスクＤの所要の位置に情報を書き込むための、または所要の位置から情報を読み出すための光ピックアップ５２と、モータ２１および光ピックアップ５２が配置され本体フレーム５１に対して相対移動可能な底板５３と、モータ２１のターンテーブル２と協動してディスクＤをクランプするためのクランプ体３２とから主に構成される。
【００３５】
モータ２１は、上記したものと同様であるため、説明を省略する。
光ピックアップ５２は、レーザ光によりディスクＤに情報の記録・再生を行う部材であり、主には、光源と、光源からのレーザ光をディスクＤに導く光学系と、ディスクＤからの反射光を受光する受光素子などから構成される。また、光ピックアップ５２は、ディスクＤの所要の位置にアクセスするため、底板５３上においてディスクＤの半径方向に移動可能である。
底板５３は、本体フレーム５１に対してディスクＤの挿入・排出を行うため、本体フレーム５１に対して相対移動する。例えば、ディスクＤの挿入を行う場合には、底板５３がモータ２１および光ピックアップ５２とともに本体フレーム５１から引き出される。
クランプ体３２は、モータ２１のターンテーブル２との相対的な軸方向位置を変更可能な部材であり、ターンテーブル２上に載置されたディスクＤを、軸方向上側から挟み込むことで固定する。
【００３６】
リムーバブルディスク記録装置５０は、モータ２１を回転させることで、挿入位置にあるディスクＤを回転させる。光ピックアップ５２は、回転したディスクＤの半径方向に移動する。これにより、リムーバブルディスク記録装置５０は、ディスクＤの所要の位置において、情報の記録や再生を行う。
なお、モータ２１が適用可能なリムーバブルディスク記録装置は、図８に示した構造に限定されない。リムーバブルディスク記録装置は、例えば、本体フレームに固定されたモータ２１までディスクＤを運ぶディスクトレイを備える構造などであってもよい。
【産業上の利用可能性】
【００３７】
本発明は、より小さなディスク装着力で記録ディスクの装着を実現させることが求められる記録ディスク調芯機構、記録ディスク載置装置、記録ディスク駆動用モータ、記録ディスク装置として利用可能である。
【図面の簡単な説明】
【００３８】
【図１】本発明の実施形態におけるターンテーブルの断面図およびモータの一部断面図
【図２】図１のターンテーブルの平面図
【図３】図１の調芯爪の断面図
【図４】本発明の効果について説明する説明図
【図５】本発明の効果について説明する説明図
【図６】本発明の変形例としての調芯爪の斜視図
【図７】本発明の変形例としての調芯爪の断面図
【図８】本発明の実施形態におけるリムーバブルディスク記録装置
【図９】背景技術としての記録ディスク調芯機構の断面図
【符号の説明】
【００３９】
１      シャフト
２      ターンテーブル
４      載置部
４ａ    筒部
４ｂ    フランジ部
５      保持部
６      滑り止め部材
８      保持本体部
８ａ    下部外周面
８ｂ    切り欠き部
８ｃ    上部傾斜面
８ｄ    下部傾斜面
１０    調芯爪
１１    先端部
１２    支持部
１３    突出部
１３ａ  頂点
１４ａ  傾斜面
１４ｂ  傾斜面
１５    外側側面
１６ａ  上端面
１６ｂ  下部傾斜面
２１    モータ
２２    静止部材
２３    回転部材
２４    ステータ
２５    ロータマグネット
２６    ベース部材
２７    スリーブ
２８    ロータハブ
３２    クランプ体
３３    クランプマグネット
５０    リムーバブルディスク記録装置
５１    本体フレーム
５２    光ピックアップ
【図１】
2006252623.tif 000003
【図２】
2006252623.tif 000004
【図３】
2006252623.tif 000005
【図４】
2006252623.tif 000006
【図５】
2006252623.tif 000007
【図６】
2006252623.tif 000008
【図７】
2006252623.tif 000009
【図８】
2006252623.tif 000010
【図９】
2006252623.tif 000011